(57)【要約】  本発明は、異なる通信エリア（３、３’、３’’）をカバーする複数の基地局（２、２’、２’’）と、コーディネータ装置（４）とを備える無線通信システム（１）に関する。コーディネータ装置（４）は、ユーザ機器（１０）に関連して発生し得るハンドオーバのために、当該ユーザ機器（１０）に関する情報に基づいて協調基地局（２、２’、２’’）としての役割を果たす、少なくとも１つの基地局（２、２’、２’’）を含む待機リストを作成する。コーディネータ装置（４）は、待機リスト中の少なくとも１つの基地局（２、２’、２’’）に対して、発生し得るハンドオーバに関するハンドオーバ情報をもたらす。待機リスト中の少なくとも１つの基地局（２、２’、２’’）は、コーディネータ装置（４）からハンドオーバ情報を受信した後、呼出しモードに入る。本発明は、対応する方法にも言及している。
2020528237.tif 000002
【特許請求の範囲】
【請求項１】
異なる通信エリア（３、３’、３’’）をカバーする複数の基地局（２、２’、２’’）と、
ユーザ機器（１０）に関連して発生し得るハンドオーバのために、前記ユーザ機器（１０）に関する情報に基づいて一連の協調基地局（２、２’、２’’）としての役割を果たす、少なくとも２つの基地局（２、２’、２’’）を含む待機リストを作成するように構成され、かつ前記待機リスト中の前記少なくとも１つの基地局（２、２’、２’’）に対して、前記発生し得るハンドオーバに関し、前記ハンドオーバに使用される基地局のビーム、タイムスタンプ候補、または必要となるハンドオーバ頻度に関する情報のうちの少なくとも１つを含むハンドオーバ情報をもたらすように構成されたコーディネータ装置（４）とを備え、
前記待機リスト中の前記少なくとも１つの基地局（２、２’、２’’）は、前記コーディネータ装置（４）から前記ハンドオーバ情報を受信した後、前記少なくとも１つの基地局（２、２’、２’’）がハンドオーバイベントのタイムスタンプに関して通知される呼出しモードに入り、また前記ユーザ機器（１０）の所在位置および／または速度および／または移動方向および／または移動経路候補に関する情報を受信するように、前記基地局（２、２’、２’’）または前記コーディネータ装置（４）を構成している、
無線通信システム（１）。
【請求項２】
前記コーディネータ装置（４）または前記一連の協調基地局（２、２’、２’’）における１つの基地局に対して、前記ユーザ機器（１０）の経路における複数の三次元ポジショニングウェイポイント値を含む経路情報と、前記ユーザ機器（１０）が前記複数の三次元ポジショニングウェイポイント値に存在していると予想される時間を示す時間情報とを送信するように、前記ユーザ機器（１０）を構成している、請求項１に記載の無線通信システム（１）。
【請求項３】
前記一連の協調基地局（２、２’、２’’）における前記少なくとも２つの基地局は、前記ユーザ機器（１０）の代替経路上の基地局、および／または前記ユーザ機器（１０）の経路上における後続の基地局を表す、請求項１または２に記載の無線通信システム（１）。
【請求項４】
前記待機リストに基づいて前記呼出しモードの開始を指示する時間情報を受信するように、前記基地局を構成している、請求項１から３のいずれか一項に記載の無線通信システム（１）。
【請求項５】
ハンドオーバ中、かつソース基地局に接続されている間に、前記一連の協調基地局における第１および第２の基地局に接続されるように、前記ユーザ機器（１０）を構成している、請求項１から４のいずれか一項に記載の無線通信システム（１）。
【請求項６】
前記第１の基地局からの第１の信号と前記第２の基地局からの第２の信号とを受信した後、前記第１および第２の基地局、または前記第１の基地局のみに対する応答信号とするように、前記ユーザ機器（１０）を構成している、請求項１から５のいずれか一項に記載の無線通信システム（１）。
【請求項７】
前記ユーザ機器と前記第１の基地局との間の第１のチャネル条件にのみ基づいて、かつ前記ユーザ機器と前記基地局との間の第２のチャネル条件に基づいて、前記応答信号を前記第１および第２の基地局に送信するか、または前記第１の基地局のみに送信するかを決定するように、前記ユーザ機器を構成している、請求項６に記載の無線通信システム（１）。
【請求項８】
前記コーディネータ（４）に対して、予測ハンドオーバの要求を信号伝達し、また前記コーディネータ装置（４）に前記ユーザ機器（１０）に関する情報をもたらすように、前記ユーザ機器（１０）を構成している、請求項１から７のいずれか一項に記載の無線通信システム（１）。
【請求項９】
前記ユーザ機器（１０）の前記少なくとも１つの移動経路候補に関するデータを受信するように、前記コーディネータ装置（４）を構成している、請求項１から８のいずれか一項に記載の無線通信システム（１）。
【請求項１０】
前記ユーザ機器（１０）に関する情報に基づいて移動マップを生成するか、または更新するように、前記コーディネータ装置（４）を構成している、請求項１から９のいずれか一項に記載の無線通信システム（１）。
【請求項１１】
前記基地局（２、２’、２’’）がハンドオーバを行う１つの協調基地局（２、２’、２’’）としての役割を果たす場合に、前記コーディネータ装置（４）に対して信号を送信するように、前記複数の基地局（２、２’、２’’）のうちの少なくとも１つの基地局（２、２’、２’’）を構成している、請求項１から１０のいずれか一項に記載の無線通信システム（１）。
【請求項１２】
ハンドオーバが発生する場合に前記コーディネータ装置（４）に制御信号を送信するように、前記ユーザ機器（１０）を構成している、請求項１から１１のいずれか一項に記載の無線通信システム（１）。
【請求項１３】
前記待機リスト中の前記少なくとも１つの基地局（２、２’、２’’）に対して、前記ハンドオーバのタイムスタンプ候補（Ｔ１、Ｔ２）を含むハンドオーバ情報をもたらすように、前記コーディネータ装置（４）を構成している、請求項１から１２のいずれか一項に記載の無線通信システム（１）。
【請求項１４】
ハンドオーバが発生した場合に、前記発生したハンドオーバに関し、基地局（２、２’、２’’）に前記呼出しモードの解除を指示する情報を前記待機リスト中の前記基地局（２、２’、２’’）にもたらすように、前記コーディネータ装置（４）を構成している、請求項１から１３のいずれか一項に記載の無線通信システム（１）。
【請求項１５】
前記コーディネータ装置（４）に対して、前記ユーザ機器（１０）と前記複数の基地局（２、２’、２’’）のうちの少なくとも１つの基地局（２、２’、２’’）との通信接続に関する制御情報を送信するように、前記ユーザ機器（１０）を構成している、請求項１から１４のいずれか一項に記載の無線通信システム（１）。
【請求項１６】
前記ユーザ機器（１０）の移動における少なくとも１つの軌跡の候補に基づいて、また前記基地局（２、２’、２’’）によってカバーされる前記通信エリア（３、３’、３’’）に基づいて前記待機リストを作成するように、前記コーディネータ装置（４）を構成している、請求項１から１５のいずれか一項に記載の無線通信システム（１）。
【請求項１７】
前記ユーザ機器（１０）に対して、前記ハンドオーバのタイムスタンプ候補（Ｔ１、Ｔ２）および／またはハンドオーバ・コンポーネント・キャリアＩＤおよび／または物理リソースブロックおよび／または前記待機リスト中の前記少なくとも１つの基地局（２、２’、２’’）に関してフィードバックするように、前記コーディネータ装置（４）を構成している、請求項１から１６のいずれか一項に記載の無線通信システム（１）。
【請求項１８】
前記複数の基地局（２、２’、２’’）は、地上基地局（２、２’）および少なくとも１つの非地上基地局（２’’）を含み、
前記ユーザ機器（１０）の移動における少なくとも１つの軌跡の候補が前記地上基地局（２、２’）によってカバーされている前記通信エリア（３、３’、３’’）を離れる場合に備えて、前記待機リストに前記少なくとも１つの非地上基地局（２’’）を含めるように、前記コーディネータ装置（４）を構成しており、さらに、
前記少なくとも１つの非地上基地局（２’’）と前記ユーザ機器（１０）との通信の遅延に基づいて、前記ハンドオーバのタイムスタンプ候補を含むハンドオーバ情報を、前記待機リスト中の前記少なくとも１つの非地上基地局（２’’）にもたらすように、前記コーディネータ装置（４）を構成している、
請求項１から１７のいずれか一項に記載の無線通信システム（１）。
【請求項１９】
前記ハンドオーバを実行した後に、前記ユーザ機器（１０）が使用したのと同一の物理リソースを前記ユーザ機器に対してスケジューリングするよう要求するように、前記コーディネータ装置（４）を構成しており、また、前記要求された物理リソースを前記ユーザ機器（１０）に対してスケジューリングするように、前記基地局を構成している、請求項１から１８のいずれか一項に記載の無線通信システム（１）。
【請求項２０】
同一のリソース要素の割当てが拒否された場合、記載する順に以下のステップの少なくとも１つをその後実行するように、前記無線通信システムを構成しており、それ以前のステップが失敗した場合、以下のステップ、すなわち、
少なくとも同じキャリアで別のリソースを供給できる基地局を、前記コーディネータ（４）によって選択するステップ、
別のリソースが利用できる場合、前記リソースが意図したＴＸ／ＲＸターゲットまたは前記ＴＸ／ＲＸターゲットを途切れなく継続させるのに十分であれば、前記リソースを前記基地局によって、レガシーハンドオーバを行うために選択するステップ、
隣接セルの異なるキャリアから前記レガシーハンドオーバのリソースを選択するステップ、
別の公衆携帯電話網キャリアのレガシーハンドオーバＨＯがサポートされているときは、情報および／または所在地および／または登録契約が有効であれば、ローミングセルの候補から前記レガシーハンドオーバを選択するステップ、
利用可能なリソースがあり、ユーザ機器がその所在地を知らないリレー・トゥ・ネットワークに前記レガシーハンドオーバを送信するステップ、または
衛星のバックホーリングがサポートされているときは、衛星のレガシーハンドオーバの閾値が満たされるのであれば、前記公衆携帯電話網の利用可能な衛星チャネルから前記レガシーハンドオーバを選択するステップ
のうちの１つのステップを実行する、請求項１９に記載の無線通信システム（１）。
【請求項２１】
前記ハンドオーバ前の時間と比較して、ハンドオーバ後に異なる物理リソースを使用し、かつデータ交換が完了するまで前記ハンドオーバを遅延させるように、前記ユーザ機器（１０）を構成している、請求項１から２０のいずれか一項に記載の無線通信システム（１）。
【請求項２２】
前記ユーザ機器（１０）はユーザ機器のグループの一部であり、前記ユーザ機器のグループに対してハンドオーバを計画する際、共通して決定するように、前記コーディネータ装置（４）を構成している、請求項１から２１のいずれか一項に記載の無線通信システム（１）。
【請求項２３】
前記基地局（２、２’、２’’）と通信するように、前記ユーザ機器（１０）を構成しており、
好ましくはハンドオーバ前に、前記基地局（２、２’、２’’）の信号強度に基づいて、複数の基地局（２、２’、２’’）のうちの少なくとも１つの基地局（２、２’、２’’）と共に、前記基地局（２、２’、２’’）と同時に同期するように、前記ユーザ機器（１９）を構成しており、
同期後、すなわち第１の基地局に同期した後に、前記基地局に実行したハンドオーバの際と同一の物理リソースを使用するように、前記ユーザ機器（１０）を構成し、ハンドオーバ後に、前記ハンドオーバ前の時間と比較して異なる物理リソースを前記第２の基地局に対して使用するように、前記ユーザ機器（１０）を構成し、また前記第１の基地局とのデータ交換が完了するまで、前記第２の基地局へのハンドオーバを遅延させるように、前記ユーザ機器を構成している、
ユーザ機器（１０）。
【請求項２４】
第１および第２の通信インターフェースを使用し、前記ハンドオーバ発生前に前記ユーザ機器が関連付けられているソース基地局に加えて、少なくとも第１および第２の基地局（２、２’、２’’）に同期するように、前記ユーザ機器を構成している、請求項２３に記載のユーザ機器（１０）。
【請求項２５】
ハンドオーバ情報を受信した後、ユーザ機器（１０）に関連して発生し得るハンドオーバに対して呼出しモードに入るように、前記基地局（２、２’、２’’）を構成している、通信エリア（３、３’、３’’）をカバーする基地局（２、２’、２’’）。
【請求項２６】
ハンドオーバが発生しなかった場合に、発生し得た前記ハンドオーバのタイムスタンプ（Ｔ１、Ｔ２）の期限が切れたのに続いて所定の遅延時間が経過した後に、前記呼出しモードを解除するように、前記基地局（２、２’、２’’）を構成しており、
かつ／または
前記ユーザ機器（１０）によって発信され、かつ前記基地局（２、２’、２’’）によって受信される信号の測定値が所定の閾値を下回った場合、前記呼出しモードを解除するように、前記基地局（２、２’、２’’）を構成しており、
かつ／または
前記基地局（２、２’、２’’）に前記呼出しモードの解除を指示する情報を受信した後、前記呼出しモードを解除するように、前記基地局（２、２’、２’’）を構成している、
請求項２５に記載の基地局（２、２’、２’’）。
【請求項２７】
ユーザ機器（１０）の所在位置および／または速度および／または移動方向および／または移動経路候補に関する情報を受信することにより、前記ユーザ機器（１０）に関する情報に基づいて前記ユーザ機器（１０）に関連して発生し得るハンドオーバのために一連の協調基地局（２、２’、２’’）としての役割を果たす、少なくとも２つの基地局（２、２’、２’’）を含む待機リストを評価するステップと、
前記待機リスト中の前記少なくとも１つの基地局（２、２’、２’’）に対して、前記発生し得るハンドオーバに関し、前記ハンドオーバに使用される基地局のビーム、タイムスタンプ候補、または必要となるハンドオーバ頻度に関する情報のうちの少なくとも１つを含むハンドオーバ情報をもたらすステップと、
前記ハンドオーバ情報を受信した後、前記待機リスト中の前記少なくとも１つの基地局（２、２’、２’’）を呼出しモードにするステップとを含む、
無線通信を処理する方法。
【請求項２８】
コンピュータ上で実行されると、請求項２７に記載の方法を実行するプログラムコードを備えるコンピュータプログラムを記憶した、非一時的記憶媒体。
【発明の詳細な説明】
【技術分野】
【０００１】
本発明は、無線通信システムおよび無線通信を処理する方法に関する。
【背景技術】
【０００２】
高速移動オブジェクト（車両、列車、ドローン、無人航空機（ＵＡＶ：ｕｎｍａｎｎｅｄ  ａｅｒｉａｌ  ｖｅｈｉｃｌｅｓ）、成層圏プラットフォーム（ＨＡＰ：ｈｉｇｈ  ａｌｔｉｔｕｄｅ  ｐｌａｔｆｏｒｍｓ）など）では、時間のかかるレガシーハンドオーバ手順によって無線リンク障害（ＲＬＦ：ｒａｄｉｏ−ｌｉｎｋ  ｆａｉｌｕｒｅ）が発生するために、サーバサービスの中断を余儀なくされる恐れがある。このハンドオーバという用語は、たとえば使用中のデータチャネルをある基地局から別の基地局に転送するプロセスを指す。
【０００３】
ＬＴＥ（Ｌｏｎｇ  Ｔｅｒｍ  Ｅｖｏｌｕｔｉｏｎ：ロングタームエボリューション）やアドバンスト３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシッププロジェクト）の無線規格では、たとえばＸ２インターフェースを使用してソース進化型ノード基地局（Ｓ−ｅＮｏｄｅＢまたはＳ−ｅＮＢ）からターゲットｅＮｏｄｅＢ（Ｔ−ｅＮＢ）にユーザ機器（ＵＥ）をハンドオーバするか、あるいはモビリティ管理エンティティ（ＭＭＥ：Ｍｏｂｉｌｉｔｙ  Ｍａｎａｇｅｍｅｎｔ  Ｅｎｔｉｔｙ）およびサービングゲートウェイ（ＳＧＷ：Ｓｅｒｖｉｎｇ  Ｇａｔｅｗａｙ）を変更していない場合は、このＸ２インターフェースを使用してターゲットギガビットＮＢ（Ｔ−ｇＮＢ）にユーザ機器（ＵＥ）をハンドオーバすることで、ハンドオーバを行っている。ハンドオーバ手順では、可能な限りサービスの連続性を保証するために、一部のパケットおよび回線交換を規定している。
【０００４】
レガシーハンドオーバでは、誤ったハンドオーバパラメーター設定により、ハンドオーバピンポン（ｈａｎｄｏｖｅｒ  ｐｉｎｇ−ｐｏｎｇｓ）、ハンドオーバ失敗（ＨＯＦ：ｈａｎｄｏｖｅｒ  ｆａｉｌｕｒｅｓ）、および無線リンク障害（ＲＬＦ）が起こることでユーザエクスペリエンスに悪影響が及び、なおかつネットワークリソースが浪費されていた。
【０００５】
従来のネットワーク制御モビリティは、ＲＲＣ接続状態の（既にキャンプオンして接続されている）ユーザ機器に適用されるモビリティ方式である。従来の方式では、たとえば［１］および［２］にハンドオーバシグナリングの手順が記載されている。
【０００６】
ハンドオーバ先が同じオペレータ（ＰＬＭＮ）である場合、進化型パケットコアネットワーク（ＥＰＣ：ｅｖｏｌｖｅｄ  ｐａｃｋｅｔ  ｃｏｒｅ  ｎｅｔｗｏｒｋ）なしでハンドオーバ手順の準備および実行フェーズが実行され、これはすなわち、Ｘ２接続インターフェースを介して、複数のｅＮＢ間で直接準備メッセージが交換されることを意味する。ハンドオーバ完了フェーズ中のソース側でのリソースの解放は、ネットワークベースのリソースであればｅＮＢによってトリガされる。
【０００７】
ローミングノードを考慮するか、または別個のエンティティであるモバイル管理エンティティ（ＭＭＥ：ｍｏｂｉｌｅ  ｍａｎａｇｅｍｅｎｔ  ｅｎｔｉｔｙ）を使用する場合、複数のＭＭＥがＳ１メッセージ（すなわち、Ｓ１ベースのハンドオーバ）を通じて関与することになり、これはすなわち、同じオペレータまたは異なるオペレータの別のＭＭＥへの移動を意味する。
【発明の概要】
【発明が解決しようとする課題】
【０００８】
本発明の目的は、無線通信システム、および移動ユーザ機器に対して途切れのないシームレスハンドオーバを実現する無線通信を処理する方法を提案することである。
【課題を解決するための手段】
【０００９】
この目的を、ある無線通信システムによって達成している。
【００１０】
本無線通信システムは、異なる通信エリアをカバーする複数の基地局と、コーディネータ装置とを備える。
【００１１】
ユーザ機器に関連して発生し得るハンドオーバのために、当該ユーザ機器に関する情報に基づいて協調基地局としての役割を果たす、少なくとも１つの基地局を含む待機リストを作成するように、このコーディネータ装置を構成している。この待機リスト中の少なくとも１つの基地局に対して、発生し得るハンドオーバに関するハンドオーバ情報をもたらすように、コーディネータ装置をさらに構成している。待機リスト中の少なくとも１つの基地局は、コーディネータ装置からハンドオーバ情報を受信した後、呼出しモードに入る。本明細書に記載しているいくつかの実施形態は、基地局がモードを切り替えるか、または設定／制御される際の対象となる呼出しモードに関するものである。この呼出しモードは、ＢＳがＵＥのスケジューリングおよび／またはこれに対するサービスを開始する時間を指す。一実施形態では、このハンドオーバ情報を、ハンドオーバ用ユーザ機器が取得すべき（すなわち、これに送信すべき）（残りの）データコンテンツとも結合していることが好ましい。
【００１２】
このユーザ機器を、たとえば車両、自動車、船、飛行機、モノのインターネット（ＩｏＴ）に属する装置、携帯電話、スマートフォン、またはそれ自体が移動するか、または移動させることができ、かつ基地局と通信している他の任意の装置で実現するか、あるいはこれらを使用して実現している。これらの基地局は、通信を処理し、かつハンドオーバを処理している任意の装置でもある。
【００１３】
コーディネータ装置は、移動ユーザ機器の少なくとも１つの移動経路候補を算出している。この移動経路には、ユーザ機器が現在接続している現在の基地局の通信エリアから別の基地局の通信エリアに移動している間に発生し得る、少なくとも１つのハンドオーバに関するデータが含まれる。予想したこれらの１つまたは複数のハンドオーバに基づいて、コーディネータ装置はハンドオーバを行う可能性のある協調基地局のリストを作成し、次いでこのコーディネータ装置は、指定したこれらの基地局にハンドオーバの発生可能性に関して通知する。これを実行することにより、コーディネータ装置は必要なハンドオーバデータを基地局にもたらすことになる。これにより、円滑なハンドオーバが実現する。
【００１４】
一実施形態によれば、このコーディネータ装置を、クラウドまたは任意の種類のサーバもしくはコンピュータ装置によって、少なくとも部分的に実現している。
【００１５】
一実施形態では、さまざまなユーザ機器のハンドオーバを処理するように、コーディネータ装置を構成している。
【００１６】
一実施形態によれば、ユーザ機器の所在位置および／または速度および／または移動方向および／または移動経路候補に関する情報を受信するように、このコーディネータ装置を構成している。
【００１７】
一実施形態では、このコーディネータ装置にユーザ機器に関する情報をもたらすように、ユーザ機器を構成している。本実施形態では、ユーザ機器は、たとえば自身の所在位置または速度などに関してコーディネータ装置に通知している。本実施形態では、コーディネータ装置に対してデータを送信するようにユーザ機器を構成しており、また一実施形態では、このユーザ機器は無線通信システムの一部である。
【００１８】
一実施形態によれば、ユーザ機器の少なくとも１つの移動経路候補に関するデータをデータベースから受信するように、コーディネータ装置を構成している。本実施形態では、ユーザ機器の移動経路または移動軌跡の候補を推定するための情報をもたらすデータベースを設けている。
【００１９】
一実施形態では、ユーザ機器に関する情報に基づいて移動マップを生成するか、または更新するように、コーディネータ装置を構成している。本実施形態では、このコーディネータ装置はユーザ機器の移動に関するデータを使用して、予想される移動のマップを取得し、かつ／またはそのようなマップを更新する。
【００２０】
一実施形態によれば、当該基地局がハンドオーバを行う１つの協調基地局としての役割を果たす場合に、コーディネータ装置に対して信号を送信するように、これら複数の基地局のうちの少なくとも１つの基地局を構成している。本実施形態では、ハンドオーバが発生する基地局は、このことに関してコーディネータ装置に通知する。
【００２１】
一実施形態では、ハンドオーバが発生する場合にコーディネータ装置に制御信号を送信するように、ユーザ機器を構成している。本実施形態では、ユーザ機器はコーディネータ装置にハンドオーバに関して通知する。
【００２２】
一実施形態によれば、待機リスト中の少なくとも１つの基地局に対して、当該ハンドオーバのタイムスタンプ候補を含むハンドオーバ情報をもたらすように、コーディネータ装置を構成している。ここで、待機リスト中の基地局には、ハンドオーバが発生し得る時間が通知される。
【００２３】
一実施形態では、コーディネータ装置は、待機リスト中の少なくとも１つの基地局にタイマ延長を送信する。このようなタイマ延長によって、それぞれの基地局がハンドオーバを待機している時間が延長され、かつ／またはこれらの基地局が呼出しモードのままとなる。
【００２４】
一実施形態では、ハンドオーバが発生しなかった場合に、タイムスタンプに続く所定の遅延時間経過後にこの呼出しモードを解除するように、待機リストに属する少なくとも１つの基地局を構成している。本実施形態では、ハンドオーバの予定時刻に続いて一定時間待機した後、ハンドオーバが発生しなかった場合、当該基地局は呼出しモードを解除する。
【００２５】
一実施形態によれば、ハンドオーバが発生した場合に、発生したハンドオーバに関し、これらの基地局に呼出しモードの解除を指示する情報を待機リスト中の基地局にもたらすように、コーディネータ装置を構成している。本実施形態では、コーディネータ装置は、ハンドオーバが発生したことを待機リスト中の基地局に通知し、その結果この基地局が通常モードに入り、ハンドオーバの待機を中止できるようにする。
【００２６】
一実施形態では、コーディネータ装置に対して、ユーザ機器と複数の基地局のうちの少なくとも１つの基地局との通信接続に関する制御情報を送信するように、ユーザ機器を構成している。本実施形態では、ユーザ機器はコーディネータ装置に当該基地局との通信に関して通知し、この通知は、たとえば通信の品質に関する情報を含む。
【００２７】
一実施形態によれば、ユーザ機器の移動における少なくとも１つの軌跡の候補に基づいて、また基地局によってカバーされる通信エリアに基づいて待機リストを作成するように、コーディネータ装置を構成している。ここでコーディネータ装置は、ユーザ機器の移動経路候補を推定し、適切な通信エリアを備える基地局を識別する。
【００２８】
一実施形態では、ユーザ機器に対して、当該ハンドオーバにおける複数のタイムスタンプ候補（または少なくとも１つのタイムスタンプ候補）および／またはハンドオーバ・コンポーネント・キャリアＩＤ（ＣＣｉ：ｃｏｍｐｏｎｅｎｔ  ｃａｒｒｉｅｒ  ＩＤ）および／または物理リソースブロック（ＰＲＢ：ｐｈｙｓｉｃａｌ  ｒｅｓｏｕｒｃｅ  ｂｌｏｃｋｓ）および／または待機リスト中の少なくとも１つの基地局に関してフィードバックするように、コーディネータ装置を構成している。このうちの後者は、たとえばユーザ機器のセルリストレポートから予想されるＴ−ｅＮＢ／Ｔ−ｇＮＢ、またはコーディネータ装置の学習によって予想される別の対象を指す。こうした学習は、たとえば統計、それ以前のトラフィック、または学習アルゴリズムを通じて行われる。一実施形態では、ユーザ機器は、新たなＴ−ｅＮＢ／Ｔ−ｇＮＢの候補を自身の隣接リストに追加修正する。
【００２９】
一実施形態では、これらの複数の基地局は、地上基地局および少なくとも１つの非地上基地局を含む。ユーザ機器の移動における少なくとも１つの軌跡の候補が地上基地局によってカバーされている通信エリアを離れる場合に備えて、待機リストに少なくとも１つの非地上基地局を含めるように、コーディネータ装置を構成している。さらに、少なくとも１つの非地上基地局とユーザ機器との通信の遅延に基づいて、当該ハンドオーバのタイムスタンプ候補を含むハンドオーバ情報を、待機リスト中の少なくとも１つの非地上基地局にもたらすように、コーディネータ装置を構成している。本実施形態では、非地上基地局とのハンドオーバを想定している。この場合、コーディネータ装置は、ハンドオーバが発生し得るタイムスタンプに関する遅延時間補正を実行する。
【００３０】
本発明は、上記および下記で説明している実施形態に従って構成される、ユーザ機器および／または基地局にさらに関する。
【００３１】
本発明はユーザ機器にさらに関する。基地局と通信するように、ユーザ機器を構成している。さらに、好ましくはハンドオーバ中に、基地局の信号強度に基づいて複数の基地局のうちの１つの基地局に同期するように、ユーザ機器を構成している。これらの複数の基地局は、たとえば上記の待機リストおよび／またはセルリストによって割り当てられている。また、これらの基地局はＴ−ｅＮＢまたはＴ−ｇＮＢであることが予想される。別の実施形態では、たとえば自身の所在位置、自身の速度、または自身の移動経路に関するデータをコーディネータ装置に送信するように、ユーザ機器を構成している。
【００３２】
一実施形態では、この場合の同期をシンボルレベル同期と考えている。一実施形態において、この場合、ユーザ機器が複数のＴ−ｅＮＢまたはＴ−ｇＮＢ、すなわち異なる基地局と同時に同期することができる、デュアル／多重接続の機能を利用している。
【００３３】
たとえば多重無線周波数（ＲＦ）フロントエンド、多重メモリバッファ、および多重／並列処理のようなより多くのユーザ機器機能を、複数のＴ−ｅＮＢまたはＴ−ｇＮＢによる同期を行う実施形態で活用している。
【００３４】
本発明は、たとえば上記および／または下記で述べている機能を備える基地局にさらに関する。
【００３５】
ハンドオーバ情報を受信した後、ユーザ機器に関連して発生し得るハンドオーバに対して呼出しモードに入るように、基地局を構成している。
【００３６】
一実施形態によれば、送信モードまたはハンドオーバイベントのタイムスタンプが通知された（たとえば、呼出しモードにある）Ｔ−ｅＮＢ／Ｔ−ｇＮＢ、すなわち基地局は、ハンドオーバのタイムスタンプが開始された後に接続モードのままとなることにより、すべてのＴ−ｅＮＢ／Ｔ−ｇＮＢが同じデータコンテンツをハンドオーバ用ユーザ機器に配信するようにしている。
【００３７】
一実施形態では、複数のＴ−ｅＮＢ／Ｔ−ｇＮＢによる送信を、ハンドオーバイベント中およびハンドオーバ直後の冗長性／重複を保証するために同期させなければならない。
【００３８】
関与している基地局からの送信は、実施形態に応じて、以下の時点まで継続される。
【００３９】
・タイマの期限が切れて（その後コーディネータ装置によって延長されない）、その後ユーザ機器がＴ−ｅＮＢ／Ｔ−ｇＮＢに特に接続（アップリンクデータおよび制御を送信することによって）しなくなる時点。これは、ユーザ機器がｅＮＢ／ｇＮＢカバレッジ外にあるか、または別のセルからサービスを受けていることを示す。一実施形態では、コーディネータ装置は、必要に応じて信頼性を高めるために、タイマを延長する。
【００４０】
・基地局が、リファレンスシンボルおよびパイロットを使用して、ＵＬ受信信号強度表示（ＲＳＳＩ：ｒｅｃｅｉｖｅｄ  ｓｉｇｎａｌ  ｓｔｒｅｎｇｔｈ  ｉｎｄｉｃａｔｉｏｎ）および／またはリファレンス信号受信品質（ＲＳＲＱ：ｒｅｆｅｒｅｎｃｅ  ｓｉｇｎａｌ  ｒｅｃｅｉｖｅｄ  ｑｕａｌｉｔｙ）および／またはリファレンス信号受信電力（ＲＳＲＰ：ｒｅｆｅｒｅｎｃｅ  ｓｉｇｎａｌ  ｒｅｃｅｉｖｅｄ  ｐｏｗｅｒ）を監視している時点。信号強度のそれぞれの測定値（ＲＳＲＰ、ＲＳＲＱ、ＲＳＳＩなど）のうちの１または複数が低下するか、あるいはたとえば規定の閾値を下回った時点で、基地局はこの特定のユーザ機器に対する呼出し／送信／受信モードを解除する。
【００４１】
・コントローラが解除信号を送信するとすぐに、基地局が呼出し／送信／受信モードの解除を行う時点。一実施形態で前述したように、タイマの延長も可能とすることができる。
【００４２】
一実施形態によれば、ハンドオーバが発生しなかった場合に、発生し得たハンドオーバのタイムスタンプの期限が切れたのに続いて所定の遅延時間が経過した後に、呼出しモードを解除するように、基地局を構成している。
【００４３】
代替的または付加的な実施形態では、ユーザ機器によって発信され、かつ基地局によって受信される信号の測定値が所定の閾値を下回った場合、呼出しモードを解除するように、基地局を構成している。
【００４４】
代替的または付加的な実施形態によれば、これらの基地局に呼出しモードの解除を指示する情報を受信した後、呼出しモードを解除するように、基地局を構成している。
【００４５】
一実施形態では、基地局および／またはユーザ機器に関する上記の実施形態は、通信システムに関する少なくとも１つの実施形態の一部である。
【００４６】
この目的を、無線通信を処理する方法によっても達成している。
【００４７】
本方法は、少なくとも以下のステップ、すなわち、
・ユーザ機器に関する情報に基づいてユーザ機器に関連して発生し得るハンドオーバのために協調基地局としての役割を果たす、少なくとも１つの基地局を含む待機リストを評価するステップと、
・この待機リスト中の少なくとも１つの基地局に対して、発生し得るハンドオーバに関するハンドオーバ情報をもたらすステップと、
・このハンドオーバ情報を受信した後、待機リスト中の少なくとも１つの基地局を呼出しモードにするステップとを含む。
【００４８】
本システムの実施形態を、本方法によって実現することもでき、その逆も可能である。
【００４９】
本発明は、コンピュータ上で実行すると、上記の実施形態におけるいずれかの方法を実行するプログラムコードを備えるコンピュータプログラムにさらに関する。
【００５０】
少なくとも１つの実施形態では、本発明は、移動ユーザ機器に対して一種の事前予約を行う、たとえば地上および／または非地上の予測ハンドオーバに関する。一実施例では、このユーザ機器は高速移動車両である。
【００５１】
さまざまな実施形態では、本発明は、ポジショニング、およびユーザ機器（ＵＥ：ｕｓｅｒ  ｅｑｕｉｐｍｅｎｔ）の所在位置、速度、移動方向、推奨されるルーティングマップなどの識別を処理するさらに拡張されたシグナリングを利用してハンドオーバ手順を確定し、その上位層の複雑性を低減することを目的としている。
【００５２】
一実施形態では、これらの値の少なくとも１または複数を１または複数のキャンプオンセルにフィードバックするように、ユーザ機器を構成している。
【００５３】
本発明は、地上ネットワークまたは非地上ネットワーク、あるいは地上基地局および非地上基地局の両方で構成されるネットワーク内の基地局（ＢＳ：ｂａｓｅ−ｓｔａｔｉｏｎ）のグループを、コーディネータ装置の例としてのメインクラウド無線アクセスネットワーク（Ｃｌｏｕｄ−ＲＡＮ：Ｃｌｏｕｄ  ｒａｄｉｏ−ａｃｃｅｓｓ  ｎｅｔｗｏｒｋ）または中央演算ノードもしくはエッジ演算ノードに共通に接続しているか、かつ／またはこれらに協調させており、この場合、従来のメカニズムよりも簡便にハンドオーバを処理することができる。
【００５４】
一実施形態で提案しているユーザ機器によるフィードバック情報から、コーディネータ装置は（地上ノードおよび非地上ノードから選択した好ましい基地局リストから）最も適切な１または複数の基地局を識別することができ、この場合、ハンドオーバを実行する必要がある場合に、ユーザ機器が関与する可能性がある。
【００５５】
その上、別の実施形態では、新たなターゲットセル内の直接ビームもそれ以前の情報に基づいて予測、かつこれにアクセスすることができる。したがって、本実施形態では、ハンドオーバ情報は、ハンドオーバに使用される基地局のビームに関するデータを含む。
【００５６】
特定のエリアを移動するノードを継続的に監視することに基づいて、コーディネータ装置またはクラウドマネージャは、一実施形態では頻繁に更新される地理的道路交通マップを生成することにより、高速ハンドオーバ、すなわち提案しているシグナリング方式の他の方式をサポートしている。この道路交通マップの更新は、ユーザ機器のステータスおよびフローに基づいて行うことができる。
【００５７】
一実施形態では、正確なポジショニング、移動予測、更新される道路交通マップ、および同じＰＬＭＮ（公衆携帯電話網）における基地局間協調、または異なるＰＬＭＮ間協調に基づいて、途切れのないシームレスハンドオーバの方法を提供する。
【発明の効果】
【００５８】
本方法により、無線リンク障害およびハンドオーバ失敗が大幅に最小化される。さらに、本方法により、単一のユーザ機器によるハンドオーバとユーザ機器のグループによるハンドオーバとが保証されることになる。
【００５９】
本開示およびその利点への完全な理解をもたらすために、添付の図面と併せて以下の説明をここで参照する。
【図面の簡単な説明】
【００６０】
【図１】無線通信システムの概略的な一実施形態を示す。
【図２ａ）】無線通信システムにおける、１台の車両による軌跡を示す。
【図２ｂ）】無線通信システムにおける、１台の車両による軌跡を示す。
【図３】無線通信システムのさまざまな通信エリア内での、１台の車両の移動を示す。
【図４】ハンドオーバの一実施形態によるステップのシーケンスを示す。
【図５】ハンドオーバの処理に関するフローチャートを示す。
【図６】基地局の動作を示す。
【図７】ユーザ機器に関するフローチャートを示す。
【図８】シームレス／自動ハンドオーバ中の、異なるコンポーネントまたは無線通信システムによる相互作用をフローチャートで示す。
【図９】「リソースの解放」に関する図８の一部を示す。
【発明を実施するための形態】
【００６１】
本明細書に記載しているいくつかの実施形態は、基地局がモードを切り替えるか、または設定／制御される際の対象となる呼出しモードに関するものである。呼出しモードは、ＢＳがＵＥのスケジューリングおよび／またはこれに対するサービスを開始する時間を指す。
【００６２】
図１に示す無線通信システムは、異なる通信エリア３、３’をビームがカバーしている、さまざまな地上基地局２、２’を備える。これらの基地局２、２’をコーディネータ装置４に接続している。基地局２、２’からの異なるビームも示しており、一実施形態では、発生し得るハンドオーバに関連する情報の一部として、これらのビームにコーディネータ装置４がまた特に対処している。
【００６３】
図２は、無線通信システム１における、ユーザ機器１０の一例としての１台の車両による２つの異なる移動経路または移動軌跡を示す。ユーザ機器を車両に限定しておらず、たとえばこれは、モノのインターネットに属している可能性がある。
【００６４】
無線通信システム１は、異なる通信エリア３、３’をカバーしているさまざまな基地局２、２’を備える。車両１０と通信している現在の基地局２は、図２ａ）および図２ｂ）では右下の位置に設置されている基地局２である。
【００６５】
車両１０はここで左方に移動するが、道路の分岐点で上側道路または下側道路のいずれへも進むことができる。ここでは、この道路を灰色の網掛けで示している。進む道路に応じて、上側の基地局２または下側の基地局２’のいずれかとのハンドオーバを実行する必要がある。左側の基地局がシームレスハンドオーバに適していないことは自明である。
【００６６】
車両１０の現在の所在位置（右側）とその速度とに基づいて、またさらに移動経路候補に関する情報に基づいて（たとえばマップに基づいて）、ハンドオーバが発生するタイミングを示す２つのタイムスタンプＴ１およびＴ２を算出することができる。
【００６７】
図２ａ）では、本車両は分岐点を右方に曲がるので、上側の基地局２とのハンドオーバが発生することになる。図２ｂ）では、下側の基地局２’とのハンドオーバが実行される。
【００６８】
このため、カバーエリアの中央にある２つの基地局２、２’は呼出しモードになり、必要なデータを受信する。
【００６９】
したがって、さまざまな実施形態に応じて、以下の条件を設けている。
【００７０】
１．多重協調セルを有するネットワークを、たとえば集中型クラウドＲＡＮ、および／または分散型マルチアクセスエッジコンピューティング（ＭＥＣ）ノードと共に設ける。ここでの協調は、単一のユニットまたは異なるサブユニットのいずれかによって設けているコーディネータ装置で共に組み合わせられる。
【００７１】
２．ここではたとえば、道路交通マップおよび／または道路方向および／または道路強度分析に関する情報が付与される。これはオフラインで生成されるか、かつ／または更新され続けるかのいずれかとなる。
【００７２】
３．ユーザ機器の一例としての自動車の移動方向は、たとえば推定であるか、かつ／または予測される。代替的にまたは付加的に、自動車の速度は、たとえば報告または算出される。
【００７３】
４．ユーザ機器、たとえば自動車の所在位置は、実施形態に応じて能動的に監視され、かつ／またはコーディネータ装置に報告される。さらに、一実施形態では、この所在位置は移動車両の走行時間に合わせて追跡される。
【００７４】
したがって、待機リストは、ＵＥの１つまたは複数の経路に沿った基地局を含んでいてもよく、各経路に沿って１つ、とりわけより多くのｅＮＢが存在していてもよい。ｅＮＢは、ユーザ機器がこのｅＮＢの範囲内にあると予想されるユーザ機器の時間または時間間隔を示すタイムスタンプと関連付けられていてもよく、それぞれ呼出しモードの開始を示している。全マップの送信を回避するために、ウェイポイント、ウェイポイント／量子化ポイントおよび／またはベクトルの受信または送信のローカル時間値によって、当該経路を表していてもよい。たとえば、四次元、ｘ軸、ｙ軸、ｚ軸、およびタイムスタンプを含む量子化ベクトルを取得してもよい。すなわちウェイポイントを、三次元ポジショニング値および時間情報を含む三次元ポジショニング値または四次元ポジショニング値と呼ぶ場合がある。
【００７５】
図２ａおよび図２ｂに示す両方の経路は、ユーザ機器の進む道路によって決まる代替案を表していてもよい。ただし、両方の代替案または両方のうちの一方の代替案のみが待機リストで表示される場合がある。あるいは、より多くの代替経路を待機リストに含めている場合がある。コーディネータ装置または一連の協調基地局における１つの基地局に対して、ＵＥの経路における複数のウェイポイントを含む経路情報と、ＵＥが複数のウェイポイントに存在していると予想される際の時間値（基準時間から算出されるか、または正確な基地局タイミングに変換される）を示す時間情報とを送信するように、ユーザ機器を構成していてもよい。
【００７６】
図３は、３つの異なる通信エリア３、３’、３’’をカバーしている３つの基地局２、２’、２’’を備える無線通信システム１を示しており、ここでも通信エリア３、３’、３’’がオーバーラップしている。基地局２、２’、２’’をコーディネータ装置４に接続している。別の実施形態では、基地局２、２’、２’’を互いに接続させている。
【００７７】
ユーザ機器１０の一例としての１台の車両は時間軸に沿って移動し、３つの異なる基地局２、２’、２’’との無線通信に関してカバーされる３つの異なる時間でこれを示している。
【００７８】
例示的なユーザ機器１０としての本車両がここでの第１の基地局２の通信エリア３を離れるとき、タイムスタンプＴ１で第２の基地局２’とのハンドオーバが発生する。第２の基地局２’の通信エリア３’内を移動すると、車両１０は、カバーされていないエリア（サポートされている地上ＲＡＴ、たとえばＬＴＥまたは３Ｇがない）またはカバーされていない場所を有するエリアに移動することが明らかになる。このため、非地上基地局２’’としての衛星および／またはＨＡＰへのハンドオーバがここでは重要になる。この場合、コーディネータ装置４は、衛星への初回アクセス時の往復時間（ＲＴＴ：ｒｏｕｎｄ−ｔｒｉｐ  ｔｉｍｅ）遅延（ハンドオーバのトリガ時間）を補正する必要がある。
【００７９】
このため、コーディネータ装置４は、衛星／ＨＡＰカバーエリアへのハンドオーバトリガタイムスタンプを算出して、実際に必要なハンドオーバタイムスタンプ（たとえばＴ１）とし、これによって衛星／ＨＡＰ２’’とコーディネータ装置との間の送信遅延ｔ／１、および衛星／ＨＡＰ２’’からユーザ機器１０に信号を送信するのにかかる時間の遅延、すなわちｔ／２の両方を、このタイムスタンプから低減するようにしなければならない。
【００８０】
Ｔ２＝Ｔ１予想−ＨＯ−ｔ／１−ｔ／２
待機リストの計算およびそれぞれの基地局に送信される必要なデータは、示している実施形態において、たとえば道路交通マップを含むデータベース５のデータに基づいている。
【００８１】
衛星／非地上ノードをＴ−ｇＮＢ／Ｓ−ｇＮＢと呼ぶ場合もあり、あるいはこれらは異なるＲＡＴ（ｒａｄｉｏ  ａｃｃｅｓｓ  ｔｅｃｈｎｏｌｏｇｙ（無線アクセス技術））である可能性もある。ここではこれは、基地局のさまざまな名前および／または例である。
【００８２】
いくつかの実施形態に関して異なる表現で以下において説明している。
【００８３】
ある方法および装置は、高速移動ユーザ機器、たとえば車両において、ハンドオーバ予測を使用しながら、たとえば同じＲＡＴ基地局間および／または異種ＲＡＴ基地局間でのシームレスハンドオーバをサポートしている。ハンドオーバ（ＨＯ）予測の場合、コーディネータ装置の例としてのクラウドコーディネータまたはマルチアクセスエッジコンピューティング（ＭＥＣ）が、ユーザ機器支援測定値に基づいてＨＯ条件を予測または推定しなければならない。
【００８４】
この方式および少なくとも１つの実施形態では、ユーザ機器の所在位置および／またはユーザ機器の速度が、ユーザ機器と通信している基地局へのフィードバックとなり、その後コーディネータ装置に送信されることになる。さらに、ユーザ機器は、ナビゲーション移動経路および移動方向に関する結果を定期的にコーディネータ装置にフィードバックしてもよい。
【００８５】
ユーザ機器に関する情報に基づいて、ユーザ機器の移動方向ならびに所在位置および／または次に発生し得るハンドオーバのタイムスタンプを予測することができ、また既存の道路交通マップを活用して、発生し得るハンドオーバの方向を推定することができる。また、移動方向と予想されるハンドオーバとを正確に生成する際の失敗の確率は、ノードの多重選択性につながる。このため、ネットワーク内のユーザ機器の遷移を予測する一方で、これらのノードが示すそれぞれの位置を考慮する必要があり、これはすなわち、ユーザ機器が（意図的に）方向転換したか、またはこの方向に関する計算に誤りが発生した可能性のある場合に、ユーザ機器が関与し得る２つ以上の基地局候補を予測するということを意味する。
【００８６】
発生し得るハンドオーバのために１または複数の基地局を選択した後（これが待機リストを指す）、コーディネータ装置またはコントローラは、待機リスト中のこれらの基地局に信号伝達して、実施形態に応じて以下のことを実行するようにしており、これらはすなわち、
・１または複数の基地局に対して、タイムスタンプ候補、および移動ユーザ機器へのハンドオーバで必要となるハンドオーバ頻度を通知する。
【００８７】
・各基地局の現在のＰＲＢから開始し、これが可能でない場合は、同じ周波数または別のキャリアで現在のＰＲＢとは異なるフリーのＰＲＢを選択する。
【００８８】
・ユーザ機器によるＲＡＣＨなしの接続、ＲＡＣＨの複製、および／またはＩＤの複製を、同じＰＬＭＮまたはプロビジョニングされた異なる複数のＰＬＭＮ内のＭＭＥでこれを処理する可能性のある基地局それぞれに対して開始する。
【００８９】
・各基地局候補のタイムスタンプ、ハンドオーバ頻度および専用ＰＲＢを伝達し返す。
【００９０】
・選択された基地局のいずれかによって移動するとすぐに、ユーザ機器はこの特定の基地局へのＰＵＳＣＨおよびＰＵＣＣＨによる送信を継続する。
【００９１】
・選択された基地局のうちの１つがユーザ機器との送信／受信（Ｔｘ／Ｒｘ）に成功している限り、当該基地局はコーディネータ装置にこのことを伝達し返すか、またはコントローラエンティティが有効な接続を検出する。
【００９２】
・冗長基地局で時間切れとなるか、またはコントローラエンティティが予約（未使用の）基地局にリソースの解放を伝達し返す。
【００９３】
・今後のハンドオーバ予測タイミングも同様に処理することができる。
【００９４】
上記の詳細は、コーディネータ装置によって待機リスト中の基地局に送信されるハンドオーバ情報の例をも示している。
【００９５】
ＲＡＴ基地局間／異種ＲＡＴ基地局間での予測を伴う、提案しているハンドオーバ手順の詳細に関しては、図４を参照されたい。Ｔ−ｅＮＢ２はハンドオーバに成功している基地局であり、ＣＣｉはすなわち、コンポーネントキャリア番号ｉである。
【００９６】
少なくとも１つのユーザ機器１０またはユーザ機器のグループがあり、ソース基地局（ソースｇＮＢ）と、２つの受信基地局（ターゲットｇＮＢ１およびターゲットｅＮＢ２）候補と、コーディネータ（たとえば、クラウドＲＡＮコーディネータ）とが存在する。本明細書で受信基地局と呼んでいる基地局を同義的に協調基地局と呼ぶことができるようにするために、それぞれの基地局２、２’を協調させるように、このコーディネータを構成している。コーディネータ４はハンドオーバ予測を実行し、次いで受信基地局候補２、２’’に発生し得るハンドオーバを通知する。ハンドオーバが発生していない場合、タイムスタンプは解放時間と関連付けられることになる。コントローラ４は、ハンドオーバが発生した場合、基地局に通知することもできる。ここで、基地局の割当てはそれぞれのビームのことにも関係している。一実施形態では、ユーザ機器は、たとえば信号強度に基づいて、ハンドオーバを行う受信基地局を決定している。点線１２ａおよび１２ｂならびに売線１４ａ−１、１４ａ−２、１４ｂ−１および１４ｂ−２によって示すように、ここでの通信のやり取りは、２つのノード間の論理リンクまたは仮想リンク１２ａ／１２ｂを含んでいてもよい。そのような仮想リンクは、１または複数のホップまたは物理リンク１４ａ−１および１４ａ−２、１４ｂ−１および１４ｂ−２をそれぞれ含んでいてもよい。すなわち、ユーザ機器（ＵＥ）１０とコーディネータ４との通信を、表示しているソースｇＮＢなどのさまざまなノード、および／または複数のＵＥもしくはリレーなどの他のノードを介して実行していてもよい。
【００９７】
この後、さまざまな実施形態およびそれらで想定される組み合わせに関する技術的観点の概要が続く。
【００９８】
ユーザ機器に関して、たとえば高速移動車両の場合、
ユーザ機器予想から、ユーザ機器は（拡張されたＶ２Ｘシグナリングに従って）送信を示唆するか、または高速移動モードになると仮定して、地上および非地上ネットワークへの送信を既に開始している。
【００９９】
サービング基地局ならびに優先基地局リストおよび／または優先ビーム（ユーザ機器がキャンプオンした基地局に伝達し返している）は、移動ユーザ機器の意図した通信における意図した方向および／または移動速度および／または優先サービス品質表示によって通知されている。ユーザ機器は、すべての優先基地局の受信信号強度（たとえば、リファレンス信号受信電力（ＲＳＲＰ）および／またはリファレンス信号受信品質（ＲＳＲＱ））に関する測定レポートをさらに送信してもよい。
【０１００】
追加のパラメータをフィードバック情報および測定レポートに追加することができ、これらはたとえば、予想されるトラフィック持続時間、予想されるキャリアアグリゲーションの必要性、予想されるクリティカリティへの高まり、および予想される優先無線アクセス技術（ＲＡＴ）などである。
【０１０１】
エッジコンピュータまたは集中型クラウドＲＡＮまたはセルの協調ノード（もしくはコーディネータ装置として協調ジョブを実行する任意の適切なエンティティ）は、以下の例示的な実施形態の１または複数から、次に関与する可能性のある１または複数のｅＮＢ／ｇＮＢを算出する。
【０１０２】
１．移動方向および／または速度。
【０１０３】
２．収集される交通地形図および交通情報であって、これらは移動車両から徐々に収集され、それ以前のハンドオーバ、移動ユーザの所在位置、および車両の交通履歴に基づいて、これらを調整することができる。
【０１０４】
３．道路地形図。
【０１０５】
４．道路地形図、および予想される次のハンドオーバの確率モデル。これを、中央装置に適用される学習／深層学習ベースのアプローチとすることができる。
【０１０６】
この後、協調リソース割当てに関するいくつかの実施形態および実施例が続く。
【０１０７】
コーディネータノード、エッジクラウド、またはコーディネータｅＮＢ／ｇＮＢ側
これらのエンティティのいずれか／一部／すべては、（報告された推定速度から）次に発生し得るハンドオーバの時間を概算し、複数の優先ｅＮＢ／ｇＮＢに指示して、以下のリソース割当てを回避している。
【０１０８】
リソース割当て
ａ）可能であれば、まったく同一の物理リソース（時間領域、周波数領域、コード領域、および電力領域）。測定／報告されたＳＩＮＲがＨＯ閾値よりも高い場合、このリソースの退避ができるｅＮＢ／ｇＮＢを優先する。
【０１０９】
ｂ）上記のステップを実行できない場合、コーディネータは、少なくとも同じキャリア内で別のリソースを供給できるｅＮＢ／ｇＮＢを選択する。
【０１１０】
ｃ）上記のステップを実行できないが、例外的なＴＸ／ＲＸプールが利用できる場合、これらのリソースが意図したＴＸ／ＲＸターゲットまたはこのＴＸ／ＲＸターゲットを途切れなく継続させるのに十分であれば、当該ｅＮＢはこれらのリソースを、ＨＯを行うために選択する。
【０１１１】
ｄ）上記のステップでさえ実行できない場合（トラフィック制限により）、同じＰＬＭＮキャリア間でＨＯが実行できるのであれば、隣接セルの異なるキャリアからＨＯのリソースを選択することができる。
【０１１２】
ｅ）たとえば輻輳または他の何らかの理由によって上記のステップを実行できない場合において、別のＰＬＭＮキャリアのＨＯがサポートされているときは、情報および／または所在地および／または登録契約が有効であれば、ローミングセルの候補からＨＯを選択することになる。
【０１１３】
ｆ）上記のすべてが失敗した場合、利用可能なリソースがあり、ユーザ機器がその所在地を知らないリレー・トゥ・ネットワークに当該ＨＯを送信してもよい。
【０１１４】
ｇ）カバレッジ全体を使用し、かつ上記のすべてに失敗した場合において、衛星のバックホーリングがサポートされているときは、衛星のＨＯの閾値（接続遅延、データレート、およびＳＩＮＲ）が満たされるのであれば、当該ＰＬＭＮの利用可能な衛星チャネルからＨＯを選択してもよい。
【０１１５】
これらのステップの一部またはすべてを実行してもよい。それ以前のステップを実行したが、できなかった場合、すなわち失敗した場合、別のステップを実行してもよい。とりわけ、ハンドオーバによってリソースを交換する場合、ユーザ機器は当該ハンドオーバを遅延させて、たとえばデータ交換において別の中断が発生するのを回避するために、当該交換が完了した後にリソースの交換を実行するように、現在のデータ交換を完了するようにしてもよい。
【０１１６】
同期
シームレスハンドオーバを保証するために、コーディネータ装置は、１または複数の新たなターゲットセルのフレーミング／時間シーケンス、正確な周波数値、および相対周波数のずれ（発生する場合）を、ＨＯ処理のタイムスタンプを受信するよりも十分早期に合流するユーザ機器に送信する必要がある。ユーザ機器は、少なくとも第１および第２の通信インターフェースを使用するデュアル接続（またはさらに高次の、すなわち多重接続）がサポートされている場合、当該ハンドオーバ発生前にユーザ機器が関連付けられているソース基地局に加えて、２つ以上のｅＮＢ、すなわち、たとえば合計で少なくとも３つの基地局に同期してもよい。すなわち、ハンドオーバ中、かつソース基地局に接続されている間に、一連の協調基地局における第１および第２の基地局に接続される（送信および受信を行う）ように、ユーザ機器を構成していてもよい。
【０１１７】
待機リストに基づいて呼出しモードの開始を指示するタイムスタンプ／情報を受信するように、両方の基地局を構成していてもよい。移動経路を認識しているＵＥによって時間情報を生成し、その結果、場合によっては量子化されたウェイポイントのベクトルをユーザ機器によって供給するようにしてもよい。ユーザ機器から受信した応答に基づいて、基地局はそれぞれ、ユーザ機器にリソースを供給し続けてもよく、これはすなわち、ユーザ機器が、第１の基地局からの第１の信号と第２の基地局からの第２の信号とを受信した後、第１および第２の基地局、または第１の基地局のみ、あるいは第２の基地局のみにそれぞれ応答信号を送信し、これにより、両方の基地局またはそれらのうちの一方のみへのハンドオーバを実行する決定をしてもよいことを意味し、その際ＵＥを、より多くの基地局に接続することもできる。ユーザ機器と第１の基地局との間の第１のリンク品質にのみ基づいて、またユーザ機器と基地局との間の第２のリンク品質に基づいて、応答信号を第１および第２の基地局に送信するか、または第１の基地局のみに送信するかを決定するように、ユーザ機器を構成していてもよい。代替的にまたは付加的に、たとえばデータスループット、リソースの可用性、基地局がユーザ機器にサービスを提供する時間間隔など、他の任意のチャネル条件を使用してもよい。
【０１１８】
したがって、ここでの同期を、フレーミング、時間シーケンス、正確な周波数値および相対周波数のずれ、および／またはそれらの任意の組み合わせに対する同期のうちの少なくとも１つとしてもよい。これらの正確な同期シグナリングを、時間フレーミング／タイムスタンプ／周波数オフセット情報の形式でユーザ機器に送信する必要がある。
【０１１９】
この同期情報には、予想できるすべての代替ターゲットセル、すなわち基地局からの情報をすべて含める必要がある。
【０１２０】
本ステップでは、［３］および［４］のようにデュアル接続同期メカニズムを再利用してもよい。
【０１２１】
このように信号伝達された基地局リストのうちの基地局候補に接近するとすぐに、１または複数のユーザ機器は、アップリンク上で送信する（ＲＡＣＨなしメカニズムで）前に、（１または複数の）基地局候補のブロードキャスト同期信号を利用して粗同期を行い、かつ適切なターゲットセルのフレーミング時間および周波数オフセットを適用しなければならない。
【０１２２】
セルの協調が正確である場合、ユーザ機器は、シンボル同期を補正できるのであれば、粗同期を行う必要なくブロードキャストされたタイムスタンプを適用してもよい。さらに微同期を適用する場合がある。
【０１２３】
一実施形態では、以下のいずれかの時点まで、コーディネータエンティティのいずれか／一部／すべてが１または複数の車両、すなわち少なくとも１つのユーザ機器を監視し続ける。
【０１２４】
ａ）当該カバレッジエリアを離れる時点、
ｂ）自身の状態を、たとえば非アクティブ状態に変更する時点、または
ｃ）移動を中断したか、または特定のタイマ（非アクティブタイマ）であるＴ非アクティブよりもネットワーク内の１つに長時間キャンプされている時点。１または複数の車両が短い交通渋滞や信号で足止めされないことを保証するように、このタイマを構成している。
【０１２５】
以下に、ユーザ機器のさまざまな実施形態におけるいくつかの特徴を示す。
【０１２６】
一実施形態では、１または複数のユーザ機器はｅＮＢ／ｇＮＢに対して（可能な場合）、以下の条件のうちの１または複数もしくはすべてに関して通知する。
【０１２７】
ａ）非常に超高信頼かつ低遅延な通信（ＵＲＬＬＣ：ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ）。
【０１２８】
ｂ）セミプレセンテンススケジューリング（ＳＰＳ：Ｓｅｍｉ−ｐｒｅｓｅｎｔｅｎｃｅ  ｓｃｈｅｄｕｌｉｎｇ）送信、または許可要求の送信によるデータ送信の開始
ｃ）開始された送信の継続優先度（バッファステータスレポート（ｂｕｆｆｅｒ−ｓｔａｔｕｓ  ｒｅｐｏｒｔ、ＢＳＲ）による）。
【０１２９】
ｄ）速度監視情報。
【０１３０】
ｅ）１または複数の意図したナビゲーション方向の候補。
【０１３１】
ｆ）報告された優先ｅＮＢ／ｇＮＢリストと品質インジケータ（ＲＳＲＰ／ＲＳＲＱなど）
ｇ）交通状況を報告する（速度、移動性、他車両までの距離などの内部センサ情報を共有する）。
【０１３２】
予測ハンドオーバの手順：
従来の無線通信によるハンドオーバ手順を、一実施形態では以下のように拡張している。
【０１３３】
−コーディネータノード、エッジクラウド、またはコーディネータｅＮＢ／ｇＮＢ、もしくは総じてコーディネータ装置は、自身（自身ら）において事前許可を得ていると予想される１または複数の高速移動ユーザ機器車両などを選択し、たとえば協調リソース割当てに関して述べている方法に従って、退避させたリソース上で重要な通信を送信または推定するようにこれらに指示する。
【０１３４】
−コーディネータ装置は、リソースの事前予約の決定に関与しているｅＮＢ／ｇＮＢの１または複数に対して、指示したタイムスタンプおよび事前に割り当てたリソースに応じて、（たとえば、協調リソース割当てに言及して提案している実施形態に基づいて）ユーザ機器の送受信条件を予測かつ推定／処理するように指示する。
【０１３５】
−ユーザ機器がｅＮＢ／ｇＮＢ無線カバレッジエリアに到着する前に（予想タイムスタンプで予測されるイベントであるため）、レガシーハンドオーバ（ＨＯ）手順におけるすべての関連付け／接続確立メッセージを大幅に簡略化／削減かつ／またはオフラインで自動的に実行することができる。したがって、ハンドオーバタイマ、たとえばＬＴＥのＴ３０４およびＴ３１０［１、２］は、可能であれば再設定、調整、または解除することができる。
【０１３６】
−新たな定義に従って処理の複雑性がより縮小された／低減された中で、上位層の手順がサポートされていてもよい。ただし、上位層はＩＰローミング／交換と上位層の情報ハンドオーバ、すなわち圧縮やセグメント化などに関して対処する必要がある。
【０１３７】
予測ハンドオーバのシグナリング
ｅＮＢ／ｇＮＢに対するユーザ機器のアップリンクシグナリングは、さまざまな実施形態において以下を含む。
【０１３８】
ａ）速度、位置座標、または意図した移動方向（ナビゲーションベースのシグナリングに基づく）のうちの１または複数に関するインジケータ
ｂ）高速走行移動に合わせてほぼ一定の／同一のＱｏＳで、当該通信が緊急の／重要な／極めて重要な通信であるかどうかを推定するためのインジケータ
ｃ）ＳＰＳを開始するか、または新たな許可要求を開始するためのインジケータ
ｄ）シグナリングフィールドが情報を搬送する
ｅ）ユーザ機器は、スケジューリング要求またはＳＰＳを使用して、現在使用が許可されているリソースを解放する意思を信号伝達してもよい。このリソースの解放が、主サービングｅＮＢ（Ｓ−ｅＮＢ）だけでなく１または複数の新たなハンドオーバターゲットスィール（ＴｅＮＢ）候補でも実行されることになる。接続解除するユーザ機器のリソースを、この接続解除するユーザ機器の主セルおよび／またはターゲットセルへのハンドオーバを希望する他の緊急ユーザに向けて退避させるのに十分な速度で、この解放を行う必要がある。この場合、リソースの解放メッセージは、この高速予測ハンドオーバ手順中に必須となる。
【０１３９】
ｅＮＢ／ｇＮＢは、さまざまな例示的実施形態において、以下を信号伝達する。
【０１４０】
ａ）緊急のハンドオーバ要求のタイムスタンプ／タイムオフセットと新たなリソース／ＳＰＳ範囲
ｂ）新たなセルｌＤ（ユーザ機器の優先リストから選択肢を絞るか、または地理情報および測位情報に基づいてこれ（これら）が選択される）
ｃ）新たなリソース、変調コーディング方式、および他のレガシーシグナリング（必要に応じて）
一実施形態によるユーザ機器の一時的ＩＤ
ここで提案している高速ハンドオーバ中に、ｅＮＢ／ｇＮＢまたはホストコンピュータは、ネットワークによって定義される、実ＲＮＴＩ（ｒａｄｉｏ  ｎｅｔｗｏｒｋ  ｔｅｍｐｏｒａｒｙ  ｉｄｅｎｔｉｆｉｅｒ：無線ネットワーク一時識別子）と連結された一時的ＨＯ  ＩＤ（ＴＨＯ−ＩＤ）を示す。このＴＨＯ−ＩＤは疑似一意ＩＤであり、すなわち合流するユーザ機器が同じ地理的エリアまたはセル内の他のユーザ機器と競合し合わないことを保証している。ユーザ機器が高速移動を開始するとすぐに、このＩＤが付与され、すべてのサービングセル（Ｓ−Ｃｅｌｌ）またはターゲットセル（Ｔ−ｃｅｌｌ）にマークが付けられる。セルはＲＮＴＩとＴＨＯ−ＩＤとの間を移動することができる。ただし、ユーザはＴＨＯ−ＩＤで参照されている。このＴＨＯ−ＩＤの一意性は、特定の地理的エリアに制限される場合がある。
【０１４１】
一実施形態による非地上ネットワークへのハンドオーバ
ユーザ機器が地上のカバーされていないエリア（サポートされている地上ＲＡＴ、たとえばＬＴＥ、３Ｇなどがない）、またはカバーされていない場所を有するエリアに移動すると予測される場合、衛星への初回アクセス時の往復時間（ＲＴＴ）遅延（ハンドオーバのトリガ時間）を補正するようにコーディネータ装置を構成しているのであれば、非地上基地局としての衛星／ＨＡＰへのハンドオーバは可能となる。このため、コーディネータ装置は、衛星／ＨＡＰカバーエリアへのハンドオーバトリガタイムスタンプを算出して、実際に必要なハンドオーバタイムスタンプ（たとえばＴ１）とし、これによって衛星／ＨＡＰとコーディネータ装置との間の送信遅延ｔ／１、および衛星／ＨＡＰからユーザ機器に信号を送信するのにかかる時間の遅延、すなわちｔ／２の両方を、このタイムスタンプから低減するようにしなければならない。
【０１４２】
Ｔ２＝Ｔ１予想−ＨＯ−ｔ／１−ｔ／２
この式は、ハンドオーバがＴ１で保持されている間に、コーディネータ装置がわずかに早く（Ｔ２で）ハンドオーバをトリガしていることを意味する。
【０１４３】
ＵＥは、基地局に応答することにより少なくとも２つの基地局のうちの１つを選択すると記載しているが、ＵＥは、両方の、またはさらに多くの基地局に応答し、その結果これらの基地局とハンドオーバを実行し、これによって多重接続を実現してもよい
プラトーン走行とグループハンドオーバ
本実施形態は、さまざまなユーザ機器をプラトーン走行で編成するために、グループハンドオーバを必要とする事例を示している［５］。たとえば、ユーザ機器のグループを同じ場所、たとえば電車内、自動車内、または飛行機内に物理的に接続している。
【０１４４】
この場合、上記のすべての実施形態を以下に同様に適用する。
【０１４５】
−プラトーン接続中のすべてのユーザ機器は、上記のようにハンドオーバを実行する。先行のユーザ機器がハンドオーバを実行しているか、それともより多くのユーザ機器がプラトーンエンティティによって定義されているか。
【０１４６】
−グループ内のすべてのユーザ機器は、上記のようにハンドオーバを実行する。
【０１４７】
図５は、ハンドオーバを処理するための一実施形態を示す。
【０１４８】
ステップ１００で、ユーザ機器に関する情報を取得する。これは、たとえばユーザ機器の所在位置（二次元または三次元）、時間値、および速度を示している。ステップ１０１で、この情報に基づき、かつ追加のデータ、たとえば当該ユーザ機器が位置する地域のマップに基づいて、ユーザ機器の少なくとも１つの移動経路候補を推定する。この少なくとも１つの移動経路候補に基づいて、ステップ１０２で、ハンドオーバの受信基地局としての役割を果たすことができる基地局を示す待機リストを作成する。このリストからの少なくとも１つの基地局候補に対して、ステップ１０３で発生し得るハンドオーバに関して通知し、ハンドオーバに必要なデータを送信する。ステップ１０４で、この待機リスト中の通知を受けた基地局は、ハンドオーバを待機する呼出しモードに入る。
【０１４９】
図６は基地局の動作を示す。
【０１５０】
ステップ１５０で、基地局は発生し得るハンドオーバに関するデータを受信し、ステップ１５１で呼出しモードに入る。これにより、基地局はステップ１５２でハンドオーバを待機する。発生し得るハンドオーバのタイムスタンプに特定の閾値を加えた時間までにハンドオーバが発生しなかった場合、基地局はステップ１５３で呼出しモードを解除する。ハンドオーバが発生した場合、基地局はステップ１５４でユーザ機器と通信する。あるいは、コーディネータ装置がハンドオーバに関して基地局に通知し、その結果基地局は呼出しモードを解除する。別の実施形態では、コーディネータ装置は、基地局に時間延長を送信し、基地局はそれに応じてハンドオーバをより長く待機する。
【０１５１】
図７は、移動中に基地局と通信するユーザ機器の動作を示す。
【０１５２】
ステップ２００で、ユーザ機器は自身の所在位置に関する情報をコーディネータ装置に送信する。ステップ２０１で、ユーザ機器はさまざまな基地局に接続できる場所に到達する。ステップ２０２で、ユーザ機器は、信号強度に基づいて基地局との同期を実行する。
【０１５３】
図８のフローチャートはコントローラ（コーディネータ装置の別名）の初期化から始まり、この初期化には、たとえばネットワーク接続の開始、オフラインマップおよび道路方向マップの作成、およびトラフィック統計の初期化が含まれる。
【０１５４】
これにユーザ機器によるデータの送信が続き、このデータは、たとえば測定レポート（ＣＱＩ、ＲＳＲＰなど）、速度および移動方向、ナビゲーション情報、およびユーザ機器が優先するか、または少なくとも認識している基地局のリストである。ハンドオーバを予定することにより、自動ハンドオーバを実行してもよい。ハンドオーバの事前スケジューリングを行うことにより、ユーザ機器が使用する基地局からのリソース要素（時間周波数／コード／フレームなど）を予約／ブロックしてから、基地局のハンドオーバユーザがハンドオーバ後もユーザ機器にサービスを提供するようにできる可能性がある。これにより、ユーザ機器は容易に送信および／または受信を継続できるため、シームレスハンドオーバが実現する可能性がある。
【０１５５】
これに続いて、この移動経路またはこれらの移動経路に沿った、移動経路および／または基地局／アクセスノード候補に関するハンドオーバ予測が行われる。複数の基地局が、特定のタイムスタンプでハンドオーバを実行できる状態に設定される。これらの基地局では、リソースは次のように解放される。まず同じリソースが最初に、次いで同じキャリアの異なるリソース、最後に異なるキャリアの異なるリソースの順となる。これには、コーディネータが異なる基地局で同じリソースの予約またはブロックを試みることが含まれ得、これによってハンドオーバ中にＵＥが送信を継続できるように、すなわちシームレスハンドオーバを実行できるようにしている。この予約には、時間、時間間隔または予約を示すタイムスタンプが含まれ得る。予約などができない場合、コーディネータは、少なくとも同じキャリアで別のリソースの予約またはブロックを試みてもよい。
【０１５６】
次のステップではハンドオーバを待機する呼出しモードで設定された基地局に言及しているため、地点Ｃからから図８および図９を検討することになる。本ステップではすべての基地局に言及しているが、ユーザ機器はこれらの基地局のうちの１または複数（多重接続を使用）を選択する。
【０１５７】
「リソースの解放」というボックスを図９に示しており、そこから「Ｂ」の場合、すなわちそれぞれの基地局がユーザ機器のハンドオーバに対する受信基地局ではない場合に進んでいる。
【０１５８】
タイムスタンプに基づくそれぞれのタイマの期限が切れ、かつ／またはコントローラが終了信号を送信すると、基地局および／またはそのリソースは別のユーザ機器および／または新たなハンドオーバのために解放される。
【０１５９】
タイマの期限が切れなかった場合、チャートは地点「Ｃ」に戻ることになる。タイマの期限が切れ、なおかつ終了信号を受信しなかった（タイマの期限切れで終了信号が必要な場合）場合において、コーディネータ装置がタイマ延長信号を送信しなかったときは（すなわち、それぞれの基地局がハンドオーバを待機するのに必要な時間の延長）、同じことが起こる。
【０１６０】
図８に戻って参照すると、少なくとも１つの基地局とのハンドオーバが発生した場合、ユーザ機器が依然として動作しているのであれば、予測が継続されることになる。
【０１６１】
予想される適用分野は以下のとおりである。
【０１６２】
−遅延制限のある（ミッションクリティカルな）通信車両サービス、
−ハンドオーバにおけるＱｏＳ持続可能性サービス、
−超高信頼の通信、
−拡張された車車間・路車間（Ｖ２Ｘ）サービス、
−無人航空機（ＵＡＶ）、
−地上との接続機能（空対地接続）のある飛行機、
−プラトーン走行車群、
−衛星のバックアップカバレッジ、および
−モノのインターネット（ＩｏＴ）。
【０１６３】
ある装置に関連していくつかの態様を記載してきたが、ブロックまたは装置が方法ステップまたは方法ステップの特徴に相当している、対応する方法の説明をもこれらの態様が表していることは明らかである。同様に、方法ステップに関連して記載しているいくつかの態様は、対応する装置において相当するブロックまたは要素もしくは特徴の説明をも表す。方法ステップの一部またはすべてを、たとえばマイクロプロセッサ、プログラマブルコンピュータ、または電子回路のようなハードウェア装置によって（またはこれを使用して）実行してもよい。いくつかの実施形態では、最も重要な方法ステップのうちの１または複数を、そのような装置によって実行してもよい。
【０１６４】
特定の実装要件に応じて、本発明の実施形態をハードウェアまたはソフトウェアに、あるいは少なくとも部分的にハードウェアに、または少なくとも部分的にソフトウェアに実装することができる。この実装を、電子的に読み取り可能な制御信号が記憶されたデジタル記憶媒体、たとえばフロッピーディスク、ＤＶＤ、ブルーレイ、ＣＤ、ＲＯＭ、ＰＲＯＭ、ＥＰＲＯＭ、ＥＥＰＲＯＭまたはフラッシュメモリを使用して実行でき、これらの制御信号はそれぞれの方法が実行されるように、プログラマブルコンピュータシステムと協働している（または協働することができる）。したがって、このデジタル記憶媒体をコンピュータ読み取り可能とすることができる。
【０１６５】
本発明によるいくつかの実施形態は、本明細書に記載の方法の１つが実行されるように、プログラマブルコンピュータシステムと協働できる、電子的に読み取り可能な制御信号を有するデータキャリアを含む。
【０１６６】
通常、本発明の実施形態を、プログラムコードを備えるコンピュータプログラム製品として実装することができ、このプログラムコードは、コンピュータプログラム製品がコンピュータ上で実行されるときに、これらの方法の１つを実行するように動作する。このプログラムコードを、たとえば機械読み取り可能なキャリアに記憶させてもよい。
【０１６７】
他の実施形態は、機械読み取り可能なキャリアに記憶された、本明細書に記載の方法の１つを実行するコンピュータプログラムを含む。
【０１６８】
したがって、本発明の方法の一実施形態は、換言すれば、コンピュータプログラムがコンピュータ上で実行されると、本明細書に記載の方法の１つを実行するプログラムコードを備えるコンピュータプログラムである。
【０１６９】
このため、本発明の方法の別の実施形態は、本明細書に記載の方法の１つを実行するコンピュータプログラムを備え、それが記録された、データキャリア（またはデジタル記憶媒体、もしくはコンピュータ可読媒体）である。データキャリア、デジタル記憶媒体、または記録済み媒体は通常、有形かつ／または非一時的である。
【０１７０】
したがって、本発明の方法のさらに別の実施形態は、本明細書に記載の方法の１つを実行するコンピュータプログラムを表すデータストリームまたは信号シーケンスである。このデータストリームまたは信号シーケンスを、たとえばインターネットなどのデータ通信接続を介して転送されるように構成していてもよい。
【０１７１】
さらに別の実施形態は、本明細書に記載の方法の１つを実行するように構成または適合された処理手段、たとえばコンピュータ、またはプログラマブル論理装置を含む。
【０１７２】
さらに別の実施形態は、本明細書に記載の方法の１つを実行するコンピュータプログラムがインストールされたコンピュータを含む。
【０１７３】
本発明によるさらに別の実施形態は、本明細書に記載の方法の１つを実行するコンピュータプログラムを受信機に（たとえば、電子的にまたは光学的に）転送するように構成された装置またはシステムを含む。この受信機を、たとえばコンピュータ、モバイル機器、またはメモリ装置とすることができる。本装置またはシステムは、たとえば、コンピュータプログラムを受信機に転送するファイルサーバを備えていてもよい。
【０１７４】
いくつかの実施形態では、プログラマブル論理装置（たとえば、フィールド・プログラマブル・ゲート・アレイ）を使用して、本明細書に記載している方法の機能の一部またはすべてを実行してもよい。いくつかの実施形態では、フィールド・プログラマブル・ゲート・アレイは、本明細書に記載の方法の１つを実行するためにマイクロプロセッサと協働してもよい。これらの方法を、通常任意のハードウェア装置によって実行していることが好ましい。
【０１７５】
本明細書に記載している装置を、ハードウェア装置を使用して、またはコンピュータを使用して、あるいはハードウェア装置とコンピュータとの組み合わせを使用して実装してもよい。
【０１７６】
本明細書に記載している方法を、ハードウェア装置を使用して、またはコンピュータを使用して、あるいはハードウェア装置とコンピュータとの組み合わせを使用して実行してもよい。
【０１７７】
参考文
［１］  ３ＧＰＰ  ＴＲ  ３６．３２１  Ｖ  １４．２．１；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ，Ｒｅｌ  １
【０１７８】
［２］  ３ＧＰＰ  ＴＲ  ３６．３００  Ｖ  １４．２．１；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｏｖｅｒａｌｌ  ｄｅ−ｓｃｒｉｐｔｉｏｎ；，Ｒｅｌ  １
【０１７９】
［３］  ３ＧＰＰ  ＴＲ  ３６．８４２  Ｖ  １４．２．１；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｓｔｕｄｙ  ｏｎ  Ｓｍａｌｌ  Ｃｅｌｌ  ｅｎｈａｎｃｅｍｅｎｔｓ  ｆｏｒ  Ｅ−ＵＴＲＡ  ａｎｄ  Ｅ−ＵＴＲＡＮ；  Ｈｉｇｈｅｒ  ｌａｙｅｒ  ａｓ−ｐｅｃｔｓ，Ｒｅｌ  １
【０１８０】
［４］  Ｓ．Ｃ．ｉｈａ，Ｋ．Ｓｉｖａｎｅｓａｎ，Ｒ．Ｖａｎｎｉｔｈａｍｂｙ  ａｎｄ  Ａ．Ｔ．Ｋｏｃ，“Ｄｕａｌ  Ｃｏｎｎｅｃｔｉｖｉｔｙ  ｉｎ  ＬＴＥ  ｓｍａｌｌ  ｃｅｌｌ  ｎｅｔｗｏｒｋｓ，”２０１４  ＩＥＥＥ  Ｇｌｏｂｅｃｏｍ  Ｗｏｒｋｓｈｏｐｓ  （ＧＣ  Ｗｋｓｈｐｓ），Ａｕｓｔｉｎ，ＴＸ，２０１４，ｐｐ．１２０５−１２１０
【０１８１】
［５］  ＴＲ  ２３．７９９  Ｖ  １４．０．０；  Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎ  Ｓｙｓｔｅｍ，Ｒｅｌ  １４
【図１】
2020528237.tif 000003
【図２ａ）】
2020528237.tif 000004
【図２ｂ）】
2020528237.tif 000005
【図３】
2020528237.tif 000006
【図４Ａ】
2020528237.tif 000007
【図４Ｂ】
2020528237.tif 000008
【図５】
2020528237.tif 000009
【図６】
2020528237.tif 000010
【図７】
2020528237.tif 000011
【図８】
2020528237.tif 000012
【図９】
2020528237.tif 000013
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
異なる通信エリア（３、３’、３’’）をカバーする複数の基地局（２、２’、２’’）と、
ユーザ機器（１０）に関連して発生し得るハンドオーバのために、前記ユーザ機器（１０）に関する情報に基づいて一連の協調基地局（２、２’、２’’）としての役割を果たす、少なくとも２つの基地局（２、２’、２’’）を含む待機リストを作成するように構成され、かつ前記待機リスト中の前記少なくとも２つの基地局（２、２’、２’’）に対して、前記発生し得るハンドオーバに関し、前記ハンドオーバに使用される基地局のビーム、タイムスタンプ候補、必要となるハンドオーバ頻度、または必要となるリソースに関する情報のうちの少なくとも１つを含むハンドオーバ情報をもたらすように構成されたコーディネータ装置（４）とを備え、
前記待機リスト中の前記少なくとも２つの基地局（２、２’、２’’）は、前記コーディネータ装置（４）から前記ハンドオーバ情報を受信した後、前記少なくとも２つの基地局（２、２’、２’’）がハンドオーバイベントのタイムスタンプに関して通知される呼出しモードに入り、また前記ユーザ機器（１０）の所在位置および／または速度および／または移動方向および／または移動経路候補に関する情報を受信するように、前記少なくとも２つの基地局のうちの１つの基地局（２、２’、２’’）または前記コーディネータ装置（４）を構成している、
無線通信システム（１）。
【請求項２】
前記コーディネータ装置（４）または前記一連の協調基地局（２、２’、２’’）における１つの基地局に対して、前記ユーザ機器（１０）の経路における複数の三次元ポジショニングウェイポイント値を含む経路情報と、前記ユーザ機器（１０）が前記複数の三次元ポジショニングウェイポイント値に存在していると予想される時間を示す時間情報とを送信するように、前記ユーザ機器（１０）を構成している、請求項１に記載の無線通信システム（１）。
【請求項３】
前記ＵＥは、ドローン、無人航空機（ＵＡＶ）または成層圏プラットフォーム（ＨＡＰ）の少なくとも一部であるか、これらのうちの１つを含む、請求項２に記載の無線通信システム。
【請求項４】
前記一連の協調基地局（２、２’、２’’）における前記少なくとも２つの基地局は、前記ユーザ機器（１０）の代替経路上の基地局を表す、請求項１または２に記載の無線通信システム（１）。
【請求項５】
前記待機リストに基づいて前記呼出しモードの開始を指示する時間情報を受信するように、前記少なくとも２つの基地局を構成している、請求項１から４のいずれか一項に記載の無線通信システム（１）。
【請求項６】
ハンドオーバ中、かつソース基地局に接続されている間に、前記一連の協調基地局における第１および第２の基地局に接続されるように、前記ユーザ機器（１０）を構成している、請求項１から５のいずれか一項に記載の無線通信システム（１）。
【請求項７】
前記第１の基地局からの第１の信号と前記第２の基地局からの第２の信号とを受信した後、前記第１および第２の基地局、または前記第１の基地局のみに対する応答信号とするように、前記ユーザ機器（１０）を構成している、請求項１から６のいずれか一項に記載の無線通信システム（１）。
【請求項８】
前記ユーザ機器と前記第１の基地局との間の第１のチャネル条件にのみ基づいて、かつ前記ユーザ機器と前記第２の基地局との間の第２のチャネル条件に基づいて、前記応答信号を前記第１および第２の基地局に送信するか、または前記第１の基地局のみに送信するかを決定するように、前記ユーザ機器を構成している、請求項６に記載の無線通信システム（１）。
【請求項９】
前記第１のチャネル条件および前記第２のチャネル条件は、リンク品質、データスループット、リソースの可用性、および基地局がユーザ機器にサービスを提供する時間間隔を含む、請求項７に記載の無線通信システム（１）。
【請求項１０】
前記コーディネータ（４）に対して、予測ハンドオーバの要求を信号伝達し、また前記コーディネータ装置（４）に前記ユーザ機器（１０）に関する情報をもたらすように、前記ユーザ機器（１０）を構成している、請求項１から９のいずれか一項に記載の無線通信システム（１）。
【請求項１１】
前記ユーザ機器（１０）の前記少なくとも１つの移動経路候補に関するデータを受信するように、前記コーディネータ装置（４）を構成している、請求項１から１０のいずれか一項に記載の無線通信システム（１）。
【請求項１２】
前記ユーザ機器（１０）に関する情報に基づいて移動マップを生成するか、または更新するように、前記コーディネータ装置（４）を構成している、請求項１から１１のいずれか一項に記載の無線通信システム（１）。
【請求項１３】
前記基地局（２、２’、２’’）がハンドオーバを行う１つの協調基地局（２、２’、２’’）としての役割を果たす場合に、前記コーディネータ装置（４）に対して信号を送信するように、前記複数の基地局（２、２’、２’’）のうちの少なくとも１つの基地局（２、２’、２’’）を構成している、請求項１から１２のいずれか一項に記載の無線通信システム（１）。
【請求項１４】
ハンドオーバが発生する場合に前記コーディネータ装置（４）に制御信号を送信するように、前記ユーザ機器（１０）を構成している、請求項１から１３のいずれか一項に記載の無線通信システム（１）。
【請求項１５】
前記待機リスト中の前記少なくとも２つの基地局（２、２’、２’’）に対して、前記ハンドオーバのタイムスタンプ候補（Ｔ１、Ｔ２）を含むハンドオーバ情報をもたらすように、前記コーディネータ装置（４）を構成している、請求項１から１４のいずれか一項に記載の無線通信システム（１）。
【請求項１６】
ハンドオーバが発生した場合に、前記発生したハンドオーバに関し、基地局（２、２’、２’’）に前記呼出しモードの解除を指示する情報を前記待機リスト中の前記基地局（２、２’、２’’）にもたらすように、前記コーディネータ装置（４）を構成している、請求項１から１５のいずれか一項に記載の無線通信システム（１）。
【請求項１７】
前記コーディネータ装置（４）に対して、前記ユーザ機器（１０）と前記複数の基地局（２、２’、２’’）のうちの少なくとも１つの基地局（２、２’、２’’）との通信接続に関する制御情報を送信するように、前記ユーザ機器（１０）を構成している、請求項１から１６のいずれか一項に記載の無線通信システム（１）。
【請求項１８】
前記ユーザ機器（１０）の移動における少なくとも１つの軌跡の候補に基づいて、また前記基地局（２、２’、２’’）によってカバーされる前記通信エリア（３、３’、３’’）に基づいて前記待機リストを作成するように、前記コーディネータ装置（４）を構成している、請求項１から１７のいずれか一項に記載の無線通信システム（１）。
【請求項１９】
前記ユーザ機器（１０）に対して、前記ハンドオーバのタイムスタンプ候補Ｔ１、Ｔ２、およびハンドオーバ・コンポーネント・キャリアＩＤ、物理リソースブロック、または前記待機リスト中の前記少なくとも１つの基地局（２、２’、２’’）のうちの好ましくは１または複数に関してフィードバックするように、前記コーディネータ装置（４）を構成している、請求項１から１８のいずれか一項に記載の無線通信システム（１）。
【請求項２０】
前記複数の基地局（２、２’、２’’）は、地上基地局（２、２’）および少なくとも１つの非地上基地局（２’’）を含み、
前記ユーザ機器（１０）の移動における少なくとも１つの軌跡の候補が前記地上基地局（２、２’）によってカバーされている前記通信エリア（３、３’、３’’）を離れる場合に備えて、前記待機リストに前記少なくとも１つの非地上基地局（２’’）を含めるように、前記コーディネータ装置（４）を構成しており、さらに、
前記少なくとも１つの非地上基地局（２’’）と前記ユーザ機器（１０）との通信の遅延に基づいて、前記ハンドオーバのタイムスタンプ候補を含むハンドオーバ情報を、前記待機リスト中の前記少なくとも１つの非地上基地局（２’’）にもたらすように、前記コーディネータ装置（４）を構成している、
請求項１から１９のいずれか一項に記載の無線通信システム（１）。
【請求項２１】
前記ハンドオーバを実行した後に、前記ユーザ機器（１０）が使用したのと同一のリソースを前記ユーザ機器に対してスケジューリングするよう要求するように、前記コーディネータ装置（４）を構成しており、また、前記要求された物理リソースを前記ユーザ機器（１０）に対してスケジューリングするように、前記一連の協調基地局を構成している、請求項１から２０のいずれか一項に記載の無線通信システム（１）。
【請求項２２】
同一のリソース要素の割当てが拒否された場合、記載する順に以下のステップの少なくとも１つをその後実行するように、前記無線通信システムを構成しており、それ以前のステップが失敗した場合、以下のステップ、すなわち、
少なくとも同じキャリアで別のリソースを供給できる基地局を、前記コーディネータ（４）によって選択するステップ、
別のリソースが利用できる場合、前記リソースが意図したＴＸ／ＲＸターゲットまたは前記ＴＸ／ＲＸターゲットを途切れなく継続させるのに十分であれば、前記リソースを前記基地局によって、レガシーハンドオーバを行うために選択するステップ、
隣接セルの異なるキャリアから前記レガシーハンドオーバのリソースを選択するステップ、
別の公衆携帯電話網キャリアのレガシーハンドオーバＨＯがサポートされているときは、情報および／または所在地および／または登録契約が有効であれば、ローミングセルの候補から前記レガシーハンドオーバを選択するステップ、
利用可能なリソースがあり、ユーザ機器がその所在地を知らないリレー・トゥ・ネットワークに前記レガシーハンドオーバを送信するステップ、または
衛星のバックホーリングがサポートされているときは、衛星のレガシーハンドオーバの閾値が満たされるのであれば、前記公衆携帯電話網の利用可能な衛星チャネルから前記レガシーハンドオーバを選択するステップ
のうちの１つのステップを実行する、請求項２１に記載の無線通信システム（１）。
【請求項２３】
前記ハンドオーバ前の時間と比較して、ハンドオーバ後に異なるリソースを使用し、かつデータ交換が完了するまで前記ハンドオーバを遅延させるように、前記ユーザ機器（１０）を構成している、請求項１から２２のいずれか一項に記載の無線通信システム（１）。
【請求項２４】
前記ユーザ機器（１０）はユーザ機器のグループの一部であり、前記ユーザ機器のグループに対してハンドオーバを計画する際、共通して決定するように、前記コーディネータ装置（４）を構成している、請求項１から２３のいずれか一項に記載の無線通信システム（１）。
【請求項２５】
異なる通信エリア（３、３’、３’’）をカバーする複数の基地局（２、２’、２’’）と、
ユーザ機器（１０）に関連して発生し得るハンドオーバのために、前記ユーザ機器（１０）に関する情報に基づいて一連の協調基地局（２、２’、２’’）としての役割を果たす、少なくとも２つの基地局（２、２’、２’’）を含む待機リストを作成するように構成され、かつ前記待機リスト中の前記少なくとも２つの基地局（２、２’、２’’）に対して、前記発生し得るハンドオーバに関し、前記ハンドオーバに使用される基地局のビーム、タイムスタンプ候補、必要となるハンドオーバ頻度、または必要となるリソースに関する情報のうちの少なくとも１つを含むハンドオーバ情報をもたらすように構成されたコーディネータ装置（４）とを備え、
前記待機リスト中の前記少なくとも２つの基地局（２、２’、２’’）は、前記コーディネータ装置（４）から前記ハンドオーバ情報を受信した後、前記少なくとも２つの基地局（２、２’、２’’）がハンドオーバイベントのタイムスタンプに関して通知される呼出しモードに入り、また前記ユーザ機器（１０）の所在位置および／または速度および／または移動方向および／または移動経路候補に関する情報を受信するように、前記少なくとも２つの基地局のうちの１つの基地局（２、２’、２’’）または前記コーディネータ装置（４）を構成しており、
ハンドオーバ中、かつソース基地局に接続されている間にデータを送信することにより、前記一連の協調基地局における第１および第２の基地局に接続されるように、前記ユーザ機器（１０）を構成しており、
前記ユーザ機器（１０）に対して、前記ハンドオーバのタイムスタンプ候補Ｔ１、Ｔ２、およびハンドオーバ・コンポーネント・キャリアＩＤ、物理リソースブロック、または前記待機リスト中の前記少なくとも１つの基地局（２、２’、２’’）のうちの好ましくは１または複数に関してフィードバックするように、前記コーディネータ装置（４）を構成しており、また、
前記複数の基地局（２、２’、２’’）は、地上基地局（２、２’）および少なくとも１つの非地上基地局（２’’）を含み、
前記ユーザ機器（１０）の移動における少なくとも１つの軌跡の候補が前記地上基地局（２、２’）によってカバーされている前記通信エリア（３、３’、３’’）を離れる場合に備えて、前記待機リストに前記少なくとも１つの非地上基地局（２’’）を含めるように、前記コーディネータ装置（４）を構成しており、さらに、
前記少なくとも１つの非地上基地局（２’’）と前記ユーザ機器（１０）との通信の遅延に基づいて、前記ハンドオーバのタイムスタンプ候補を含むハンドオーバ情報を、前記待機リスト中の前記少なくとも１つの非地上基地局（２’’）にもたらすように、前記コーディネータ装置（４）を構成している、
無線通信システム（１）。
【請求項２６】
無線通信システム（１）の基地局（２、２’、２’’）と通信するように構成され、
ハンドオーバ前に、前記基地局（２、２’、２’’）の信号強度に基づいて、複数の基地局（２、２’、２’’）のうちの前記基地局（２、２’、２’’）と共に、第１の基地局または第２の基地局と同時に同期するように、前記ユーザ機器（１９）を構成しており、
同期後、すなわち前記基地局のうちの第１の基地局に同期した後に、前記第１の基地局に実行したハンドオーバの際と同一のリソースを使用するように、前記ユーザ機器（１０）を構成し、ハンドオーバ後に、前記ハンドオーバ前の時間と比較して異なるリソースを前記基地局のうちの前記第２の基地局に対して使用するように、前記ユーザ機器（１０）を構成し、また前記第１の基地局とのデータ交換が完了するまで、前記第２の基地局へのハンドオーバを遅延させるように、前記ユーザ機器を構成しており、また、
第１および第２の通信インターフェースを使用し、前記ハンドオーバ発生前に前記ユーザ機器が関連付けられているソース基地局に加えて、少なくとも前記第１および第２の基地局（２、２’、２’’）に同期するように、前記ユーザ機器を構成している、
ユーザ機器（１０）。
【請求項２７】
さらに通信を行うために、前記基地局に応答することによって前記少なくとも２つの基地局のうちの１または複数を選択するように、前記ユーザ機器を構成している、請求項２６に記載のユーザ機器。
【請求項２８】
通信エリア（３、３’、３’’）をカバーする基地局（２、２’、２’’）であって、発生し得るハンドオーバに関し、前記ハンドオーバに使用される前記基地局のビーム、タイムスタンプ候補、必要となるハンドオーバ頻度、または必要となるリソースに関する情報のうちの少なくとも１つを含むハンドオーバ情報を受信した後、ユーザ機器（１０）に関連して発生し得るハンドオーバに対して呼出しモードに入るように、前記基地局（２、２’、２’’）を構成しており、前記呼出しモードでは、前記基地局（２、２’、２’’）は、前記コーディネータ装置（４）から前記ハンドオーバ情報を受信した後ハンドオーバイベントのタイムスタンプに関して通知され、
前記基地局は、ユーザ機器（１０）に関連して発生し得るハンドオーバのために、前記ユーザ機器（１０）に関する情報に基づいて一連の協調基地局（２、２’、２’’）としての役割を果たす、少なくとも２つの基地局（２、２’、２’’）を含む待機リストの一部であり、
一連の協調基地局（２、２’、２’’）としての役割を果たす少なくとも２つの基地局（２、２’、２’’）を含む待機リストを作成するように、かつ前記ユーザ機器（１０）の所在位置および／または速度および／または移動方向および／または移動経路候補に関する情報を受信するように、前記基地局（２、２’、２’’）を構成している、
基地局（２、２’、２’’）。
【請求項２９】
ハンドオーバが発生しなかった場合に、発生し得た前記ハンドオーバのタイムスタンプ（Ｔ１、Ｔ２）の期限が切れたのに続いて所定の遅延時間が経過した後に、前記呼出しモードを解除するように、前記基地局（２、２’、２’’）を構成しており、
かつ／または
前記ユーザ機器（１０）によって発信され、かつ前記基地局（２、２’、２’’）によって受信される信号の測定値が所定の閾値を下回った場合、前記呼出しモードを解除するように、前記基地局（２、２’、２’’）を構成しており、
かつ／または
前記基地局（２、２’、２’’）に前記呼出しモードの解除を指示する情報を受信した後、前記呼出しモードを解除するように、前記基地局（２、２’、２’’）を構成している、
請求項２７に記載の基地局（２、２’、２’’）。
【請求項３０】
前記基地局が前記ユーザ機器のハンドオーバに対する受信基地局ではない場合に、前記ハンドオーバのために予約されたリソースを解放するように、前記基地局を構成している、請求項２７または２８に記載の基地局。
【請求項３１】
ユーザ機器（１０）の所在位置および／または速度および／または移動方向および／または移動経路候補に関する情報を受信することにより、前記ユーザ機器（１０）に関する情報に基づいて前記ユーザ機器（１０）に関連して発生し得るハンドオーバのために一連の協調基地局（２、２’、２’’）としての役割を果たす、少なくとも２つの基地局（２、２’、２’’）を含む待機リストを評価するステップと、
前記待機リスト中の前記少なくとも２つの基地局（２、２’、２’’）に対して、前記発生し得るハンドオーバに関し、前記ハンドオーバに使用される基地局のビーム、タイムスタンプ候補、必要となるハンドオーバ頻度、または必要となるリソースに関する情報のうちの少なくとも１つを含むハンドオーバ情報をもたらすステップと、
前記ハンドオーバ情報を前記コーディネータ装置（４）から受信した後、前記待機リスト中の前記少なくとも２つの基地局（２、２’、２’’）を、前記少なくとも２つの基地局（２、２’、２’’）がハンドオーバイベントのタイムスタンプに関して通知される呼出しモードにするステップと、
前記ユーザ機器（１０）の所在位置および／または速度および／または移動方向および／または移動経路候補に関する情報を、前記少なくとも２つの基地局のうちの１つの基地局で受信するステップと、を含む、
無線通信を処理する方法。
【請求項３２】
コンピュータ上で実行されると、請求項３１に記載の方法を実行するプログラムコードを備えるコンピュータプログラムを記憶した、非一時的記憶媒体。
【国際調査報告】
2020528237.tif 000014
2020528237.tif 000015
2020528237.tif 000016
2020528237.tif 000017
2020528237.tif 000018
2020528237.tif 000019